【事件の表示】
　平成　９年特許願第２６３０００号「太陽光発電設備の接続構造」拒絶査定不服審判事件〔平成１１年　４月１３日出願公開、特開平１１−１００９３６〕について、次のとおり審決する。
【結　論】
　本件審判の請求は、成り立たない。
【理　由】
第１．手続の経緯
　本願は、平成９年９月２９日の出願であって、平成１８年６月２１日付けで拒絶査定がなされ、これに対し、同年７月２７日に拒絶査定に対する審判請求がなされるとともに、同年８月１１日付けで手続補正がなされたものである。
　
第２．平成１８年８月１１日付けの手続補正についての補正却下の決定
［補正却下の決定の結論］
　平成１８年８月１１日付けの手続補正（以下、「本件補正」という。）を却下する。
　
［理由］
１．補正後の本願発明
　本件補正により、特許請求の範囲の請求項１は、次のとおりに補正された。
「太陽光発電を行うための複数の太陽光発電設備を、化粧部材を介して面方向において接続した状態で、建物躯体を形成する屋根の上に設置するために用いられる太陽光発電設備の接続構造であって、複数の太陽光発電設備は、隣合う太陽光発電設備の間に空間部を備えて屋根の上に
レールを介して
上のレール
連結
連続
　
　上記補正は、補正前の請求項１に係る発明の「複数の太陽光発電設備」及び「化粧部材」について、いずれも、屋根の上に「
レールを介して
　
　そこで、本件補正後の前記請求項１に係る発明（以下、「本願補正発明」という。）が特許出願の際独立して特許を受けることができるものであるかについて以下検討する。
　
２．刊行物及びその記載内容
　原査定の拒絶の理由に引用され本願出願前に頒布された特開平９−１９５４７２号公報（以下、「刊行物」という。）には、図面とともに、次のことが記載されている。
(1a)「【０００１】
【発明の属する技術分野】本発明は、ソーラーセル等の太陽エネルギー変換装置を備えた太陽エネルギー変換パネルの継目の防水構造に関する。」、
(1b)「【０００５】本発明の目的は、継目の外観が損なわれることがない太陽エネルギー変換パネルの継目の防水構造を提供することにある。」、
(1c)「【００１１】
【発明の実施の形態】…図１及び図２には、第１の実施の形態の太陽エネルギー変換パネルである太陽電池パネル１を屋根２に設置するための取付構造３が示されている。これらの図において、取付構造３は、屋根２の野地板４に取付けられたレール状の支持部材５で太陽電池パネル１を固定するものであり、太陽電池パネル１は屋根２の上で上下左右に複数並べられている。…」、
(1d)「【００１２】太陽電池パネル１は、所定数のソーラーセルを収めた平板状の完全防水ケース６と、ケース６の周縁に取付けられた２本の縦枠７及び２本の横枠８とを有するもので、２本の縦枠７は屋根の傾斜方向に沿って配置され、２本の横枠８は縦枠７の上下端を接続するように屋根の左右方向に沿って配置されている。…」、
(1e)「【００１３】縦枠７は、下方に設けられた脚部７Ａと、この脚部７Ａより上方に形成され防水ケース６を支持する支持部７Ｂと、この支持部７Ｂより上方に形成された第１の係合部７Ｃとを有するものであり、脚部７Ａには、外側の側面の下端部分に外側へ突出する固定用鍔部７Ｄが形成されている。左右に隣合う太陽電池パネル１の互いに対向する縦枠７に形成された第１の係止部７Ｃは対をなすものであり、これら対をなす第１の係合部７Ｃは水平方向に向けて互いに開口した凹部である。…」、
(1f)「【００１４】隣合う太陽電池パネル１の隣接する縦枠７の間に形成される継目は閉塞部材９で閉塞されている。この閉塞部材９は、平板状の本体９Ａと、この本体９Ａの両側に形成され第１の係合部７Ｃと係合する第２の係合部９Ｂと、第１の係合部７Ｃと第２の係合部９Ｂとの係合部分の上方を覆うカバー部９Ｃとを有するアルミ板である。…第２の係合部９Ｂは凹部の第１の係合部７Ｃと雄雌嵌合し本体９Ａと同一平面上に形成された凸部である。カバー部９Ｃは本体９Ａの上面に２か所形成されており、これらのカバー部９Ｃの間に形成された凹みは雨水を流す樋の機能を有する。」、
(1g)「【００１５】支持部材５は、上方が開口となった断面コ字形の樋部５Ａと、この樋部５Ａの下方に一体的に設けられた断面四角形状のパイプ部５Ｂとを有するもので、…樋部５Ａは、太陽電池パネル１の脚部７Ａを受けるとともに、太陽電池パネル１に降り注いだ雨水等を集めて軒へ排水するものである。樋部５Ａの底部５Ｃには、脚部７Ａが載せられるとともに、脚部７Ａの固定用鍔部７Ｄを貫通したタッピングねじ１０が螺合されている。
【００１６】パイプ部５Ｂは、太陽電池パネル１側の側面が傾斜して底面側がすぼんだ筒状のものであり、タッピングねじ１０と螺合する樋部５Ａの底部５Ｃのねじ孔から侵入する雨水等を軒へ排水するようになっている。パイプ部５Ｂの傾斜した側面には、下端付近に取付用鍔部５Ｄが突設されている。この取付用鍔部５Ｄを貫通するねじ１１を野地板４に螺合させることにより、支持部材５の固定がなされている。
【００１７】隣接する支持部材５の互いに突き合わされる側面の間にはパッキング部材１２，１３が介装されている。これらのパッキング部材１２，１３は、弾力性を有する発泡プラスチックで形成されたものである。これらの支持部材５にまたがって防水テープ１４が張り付けられている。…」、
(1h)「【００１８】このような本実施の形態では、予め太陽電池パネル１、支持部材５、閉塞部材９等を製造しておく。この際、太陽電池パネル１の縦枠７には第１の係合部７Ｃを形成しておき、さらに、支持部材５には、パッキング部材１２，１３を張り付けておく。そして、屋根２に野地板４を張り付ける作業が完了したら、支持部材５を所定位置に敷設した後、隣接する支持部材５にまたがって防水テープ１４を張り付けるとともに、支持部材５の上に複数の太陽電池パネル１を上下左右に並べて固定する。
【００１９】さらにその後、隣合う太陽電池パネル１の互いに対向する縦枠７の第１の係合部７Ｃに、板状の閉塞部材９の第２の係合部９Ｂを係合し、隣合う太陽電池パネル同士の継目を閉塞する。…」。
　
　上記記載及び図面の記載によれば、刊行物には、次の発明が記載されていると認められる。
「太陽エネルギー変換パネルとしての太陽電池パネル１を、閉塞部材９を介して面方向において接続した状態で、屋根の上に設置するために用いられる太陽エネルギー変換パネル継目の防水構造であって、複数の太陽電池パネル１は、隣合う太陽電池パネル１の間に空間部を備えて屋根の上に支持部材５を介して固定され、前記閉塞部材９は、アルミからなり、前記空間部の上方を閉塞する平板状の本体９Ａと、隣合う太陽電池パネル１の第１の係合部７Ｃと係合する第２の係合部９Ｂと、第１の係合部７Ｃと第２の係合部９Ｂとの係合部分の上方を覆うカバー部９Ｃとを備え、カバー部９Ｃ間には、屋根の傾斜方向に連続して形成される凹部が形成されている太陽エネルギー変換パネル継目の防水構造。」
　　
３．対比
　そこで、本願補正発明と上記刊行物記載の発明とを対比すると、刊行物記載の発明の「太陽電池パネル１」は本願補正発明の「太陽光発電設備」に相当し、以下、「閉塞部材１」は「化粧部材」に、「太陽エネルギー変換パネル継目の防水構造」は「太陽光発電設備の接続構造」に、「支持部材５」は「レール」に、「アルミ」は「耐火性素材」に、それぞれ相当する。
　また、刊行物記載の発明の「本体９Ａ」と「カバー部９Ｃ」とは、空間部の上方を閉塞して隣合う太陽光発電設備を連結させる面であるから、本願補正発明の「化粧面」に相当する。
　さらに、刊行物記載の発明における、閉塞部材９の「第２の係合部９Ｂ」は、太陽電池パネル１を介在してはいるものの、閉塞部材９を屋根に固定するものであるから、本願補正発明の「固定部」とは、「化粧部材を屋根に固定するための固定部」である点で共通する。
　したがって、両者は、
「太陽光発電を行うための複数の太陽光発電設備を、化粧部材を介して面方向において接続した状態で、建物躯体を形成する屋根の上に設置するために用いられる太陽光発電設備の接続構造であって、複数の太陽光発電設備は、隣合う太陽光発電設備の間に空間部を備えて屋根の上にレールを介して固定され、前記化粧部材は耐火性素材からなり、前記空間部の上方を閉塞して隣合う太陽光発電設備を連結させるための化粧面と、化粧部材を屋根に固定するための固定部を備えた太陽光発電設備の接続構造。」である点で一致し、次の点で相違する。
（相違点）
　化粧部材を屋根に固定するための固定部が、本願補正発明では、「化粧面から屋根方向に凹んだ凹部として形成され、この凹部は、屋根の傾斜方向に連続して形成されるとともに、頭部が凹部内に隠れるネジにより、この凹部を前記屋根上のレールに固定した固定部」であるのに対し、刊行物記載の発明の化粧部材では、太陽光発電設備の第１の係合部に係合する「第２係合部」である点。
　
４．判断
　上記相違点について検討すると、刊行物記載の発明の化粧部材は、屋根の傾斜方向に連続して形成される凹部が形成されているものである。
　また、屋根の上に設置するために用いられる複数の板材の接続構造として、隣合う板材の間に空間部を設け、前記空間部の上方を閉塞する化粧部材を介して、隣合う板材を面方向に接続すること、その際、前記化粧部材に、屋根方向に凹み、屋根の傾斜方向に連続して形成される凹部を設け、頭部が凹部内に隠れるネジ等の固定具により、この凹部を屋根側の部材に固定することは、原審における拒絶査定で提示した実願平３−３１０９４号（実開平４−１２０５７３号）のマイクロフィルム（「取付金物２９」等参照。)の他に、実願昭５５−９６８７４号（実開昭５７−２０４３０号）のマイクロフィルムに示されるように本願出願前、周知の技術である。
　上記のとおり、化粧部材の凹部を屋根への固定部とすることが周知である以上、引用文献１に記載された発明において、化粧部材を、太陽光発電設備に係合させて固定することに替えて、凹部を固定部とし、凹部に頭部を隠れるネジにより、化粧部材を屋根上のレールに固定し、相違点に係る本願補正発明の構成とすることは、当業者であれば容易になしうることである。
　そして、本願補正発明の作用効果は、全体として、刊行物記載の発明及び上記周知技術から容易に予測できる程度のものであって、格別の作用効果を奏するとは認められない。
　よって、本願補正発明は、上記刊行物記載の発明及び周知技術に基いて当業者が容易に発明をすることができたものであるから、特許法第２９条第２項の規定により特許出願の際独立して特許を受けることができないものである。
　
５．むすび
　以上のとおり、本件補正は、平成１８年改正前特許法第１７条の２第５項において準用する同法第１２６条第５項の規定に違反するものであり、同法第１５９条第１項において読み替えて準用する同法第５３条第１項の規定により却下されるべきものである。
　よって、上記［補正の却下の決定の結論］のとおり、決定する。
　
第３．本願発明について
１．本願発明
　平成１８年８月１１日付けの手続補正は上記のとおり却下されることとなるので、本願の請求項１に係る発明（以下、本願発明という。）は、平成１８年５月８日付け手続補正書の特許請求の範囲の請求項１に記載された事項により特定される、以下のとおりのものである。
　「太陽光発電を行うための複数の太陽光発電設備を、化粧部材を介して面方向において接続した状態で、建物躯体を形成する屋根の上に設置するために用いられる太陽光発電設備の接続構造であって、
　複数の太陽光発電設備は、隣合う太陽光発電設備の間に空間部を備えて屋根の上に固定され、
　前記化粧部材は耐火性素材からなり、前記空間部の上方を閉塞して隣合う太陽光発電設備を連結させるための化粧面と、化粧部材を屋根に固定するための固定部とを備え、
　前記固定部は、化粧面から屋根方向に凹んだ凹部として形成され、この凹部は、屋根の傾斜方向に連続して形成されるとともに、
　頭部が凹部内に隠れるネジにより、この凹部を前記屋根側に固定したことを特徴とする太陽光発電設備の接続構造。」
　
２．刊行物の記載内容
　原査定に引用された刊行物、及び、その記載内容は、前記「第２．２」に記載したとおりである。
　
３．対比・判断
　本願発明は、前記「第２．」で検討した本願補正発明の「複数の太陽光発電設備」及び「化粧部材」について、屋根の上に「
レールを介して
　そうすると、本願発明の特定事項を全て含み、さらに他の特定事項を付加したものに相当する本願補正発明が、前記「第２．４」に記載したとおり、刊行物記載の発明及び周知技術に基いて当業者が容易に発明をすることができたものであるから、本願発明も、同様の理由により、刊行物記載の発明及び周知技術に基いて当業者が容易に発明をすることができたものである。
　
４．むすび
　以上のとおり、本願発明は、刊行物記載の発明及び周知技術に基いて当業者が容易に発明をすることができたものであり、特許法第２９条第２項の規定により特許を受けることができないから、本願は拒絶をすべきものである。
　よって、結論のとおり審決する。